(57)【要約】【課題】  機器内部の防音対策を十分に考慮しつつ、ハードディスクドライブ等の記録再生装置の着脱を容易に行うことができる電子機器を提供する。【解決手段】  シャーシ４の底面側に開口部７を形成し、ハードディスクドライブ１０と制御基板１１とを一体化したハードディスクユニット８に前記開口部７を塞ぐ底板３を取り付け、前記開口部７からハードディスクユニット８の着脱を行う構造とし、前記開口部７の上面側には前記ハードディスクユニット８を覆うシールド部材６及び／又は防音部材を取り付ける。【選択図】  図１１
2006185571.tif 000002
【特許請求の範囲】
【請求項１】
筐体内に記録再生装置と、前記記録再生装置を制御する制御基板とを備えた電子機器において、前記筐体の底面側から前記記録再生装置を着脱可能とする構成を備えたことを特徴とする記録再生装置を備えた電子機器。
【請求項２】
筐体内に記録再生装置と、前記記録再生装置を制御する制御基板とを備えた電子機器において、前記筐体の背面側から前記記録再生装置を着脱可能とする構成を備えたことを特徴とする記録再生装置を備えた電子機器。
【請求項３】
前記筐体の前記記録再生装置を着脱可能とする方向の筐体面には、前記記録再生装置の着脱する方向の外形寸法に応じた大きさの開口部を形成したことを特徴とする請求項１又は請求項２に記載の記録再生装置を備えた電子機器。
【請求項４】
請求項３に記載の開口部が筐体の底面側及び背面側に連続して形成されたことを特徴とする記録再生装置を備えた電子機器。
【請求項５】
前記開口部を塞ぐための大きさを有したカバー部材を備え、前記カバー部材には前記記録再生装置を取り付けて、前記記録再生装置を前記カバー部材と共に前記筐体から着脱自在に構成したことを特徴とする請求項１乃至請求項４の何れか１つに記載の記録再生装置を備えた電子機器。
【請求項６】
前記カバー部材が前記筐体の底面に形成された開口部を塞ぐための大きさを有したカバー部材、前記筐体の背面に形成された開口部を塞ぐための大きさを有したカバー部材、前記筐体の底面と背面に連続して形成された開口部を塞ぐための大きさを有したカバー部材のいずれか１つであることを特徴とする請求項５に記載の記録再生装置を備えた電子機器。
【請求項７】
前記筐体の底面と背面に連続して形成された開口部を塞ぐための大きさを有したカバー部材が一体で形成されていることを特徴とする請求項６に記載の記録再生装置を備えた電子機器。
【請求項８】
前記筐体の底面と背面に連続して形成された開口部を塞ぐための大きさを有したカバー部材が底面部分を塞ぐ部材と背面部分を塞ぐ部材とを別部材で形成されていることを特徴とする請求項６に記載の記録再生装置を備えた電子機器。
【請求項９】
筐体内に記録再生装置と、前記記録再生装置を制御する制御基板とを備えた電子機器において、前記筐体の底面側或いは背面側から前記記録再生装置を着脱可能とし、前記開口部を覆う防音部材又はシールド部材を設けたことを特徴とする記録再生装置を備えた電子機器。
【請求項１０】
電子機器の筐体内には前記電子機器を制御するメイン基板を配置し、前記メイン基板に設けた接続端子と前記記録再生装置又は前記記録再生装置を制御する制御基板に設けた接続端子とが筐体内において互いに近接するように配置したことを特徴とする請求項１乃至請求項９の何れか１つに記載の記録再生装置を備えた電子機器。
【請求項１１】
前記メイン基板に設けた接続端子と前記記録再生装置又は前記記録再生装置を制御する制御基板に設けた接続端子とを線材を介して連結したことを特徴とする請求項１０に記載の記録再生装置を備えた電子機器。
【請求項１２】
前記記録再生装置は予め装置内部に記録媒体を組み付けて構成するハードディスクドライブであることを特徴とする請求項１乃至請求項１１の何れか１つに記載の記録再生装置を備えた電子機器。
【発明の詳細な説明】
【技術分野】
【０００１】
本発明は、記録再生装置を備えた電子機器、特にハードディスクドライブ等の記録再生装置の着脱を可能とした電子機器に関する。
【背景技術】
【０００２】
記録再生装置としてハードディスクドライブを内蔵した電子機器は、事務用、家庭用を問わず、一般的に広く利用されるようになった。その結果、ハードディスクの容量大型化や高精密化が加速する一方で、ハードディスクドライブ自体の製品寿命は短縮化の一途にある。特に近年では、メーカー側のコスト削減策の一環として、ハードディスクドライブの保証期間を短縮する傾向にあり、メンテナンスや修理に携わる作業者がハードディスクドライブの交換、或いは修理を行う頻度が多くなる可能性を有している。
【０００３】
こうした状況の中で、メーカーの作業者のみならず、ユーザー自身でも容易にハードディスクドライブの交換作業を行えることが大きな課題となっていた。
【０００４】
又、家庭用の電子機器を使用して映画視聴や音楽鑑賞を楽しむ上で良好な視聴環境を維持する為に、ハードディスクドライブの駆動に伴い発生する騒音を如何にして抑えるかがもう一つの課題となっている。
【０００５】
上記の課題を解決する為に、特許文献１では、ハードディスクドライブを内蔵したテレビ受像機において、受像機筐体内の前方下部に収納部を設け、前記収納部に前方へスライド引出し可能なトレイを設置し、前記トレイの上にハードディスクドライブを取り付けるようにした構造が開示されている。この構造により、ハードディスクドライブの交換時に、テレビ受像機前面からハードディスクドライブの取り付けられたトレイを前方にスライドして引き出すことが可能となり、容易にハードディスクドライブの交換が出来るようになる。
【０００６】
さらに、特許文献２では、第一の構造として、ハードディスクドライブを内蔵したビデオ記録再生装置などの電子機器において、シャーシ上で上下に固定された二枚の回路基板の間にハードディスクドライブを設置し、前記二枚の回路基板にて防音材としての機能を兼ねた構造が開示されている。さらに、特許文献２では、第二の構造として、上記ハードディスクドライブの着脱における簡素化と騒音防止対策とを一挙に解決する為に、電子機器の筐体天板に開口部を設け、前記開口部よりハードディスクドライブの着脱を可能としており、騒音遮断対策として前記開口部を塞ぐ蓋板裏面と機器本体のフロントパネル内面側とに防音材を貼着した構造が開示されている。
【０００７】
【特許文献１】特開２００２−２３８００８号公報
【特許文献２】特開２００２−００８３６１号公報
【発明の開示】
【発明が解決しようとする課題】
【０００８】
上記の技術により、ハードディスクドライブの着脱が容易に出来ることとなったが、特許文献１の構造では、ハードディスクドライブを収納したスライド式トレイの上部が開放されている為に、ハードディスクドライブの駆動に伴う騒音がテレビ受像機前面から漏出してくることが容易に予測され、ユーザーにとって良好な視聴環境を提供するという課題は未解決のまま放置されるという不具合がある。
【０００９】
特許文献２の第二の構造では、ハードディスクドライブの着脱はきわめて容易となり、防音材を要所に貼着することで騒音遮断対策も兼ねているが、防音材を貼着する為のフロントパネル内面に設けた緩衝材と蓋板裏面に設けた緩衝材との間に隙間ができてしまうことから、ハードディスクドライブの駆動時に発生する騒音が前記隙間から漏出する虞がある。又、電子機器の天板に開口部を設けた構造としている為、小さな子供が誤って前記開口部を開けてしまい、機器内部に配置された電子部品に触れるなどして感電するといった事態も懸念される。加えて、螺子により開口部を天板に固定する構造としている為、電子機器外観の意匠性を損なうこととなり、さらに前記開口部から水や埃などの異物が電子機器内部へと侵入することも懸念される。
【００１０】
特許文献２の第一の構造では、ハードディスクドライブの駆動に伴って発生する騒音の防止はある程度可能となるが、防音材を兼ねた二枚の回路基板をハードディスクドライブの上下から挟むように配置した構造としている為、ハードディスクドライブの交換、修理等を行う際には順次電子機器の内部に配置された回路基板を含む電子部品を一度取り外し、又、ハードディスクドライブを交換した後は取り外した電子部品を電子機器の内部に再度組み込む作業が必要となる為、ハードディスクドライブの着脱作業がきわめて煩雑になるという不具合がある。
【課題を解決するための手段】
【００１１】
上記課題を解決する為に、本発明は、筐体内に記録再生装置と、前記記録再生装置を制御する制御基板とを備えた電子機器において、前記筐体の底面側から前記記録再生装置を着脱可能とする構成を備えたことを特徴とする記録再生装置を備えた電子機器を提供し、さらに筐体内に記録再生装置と、前記記録再生装置を制御する制御基板とを備えた電子機器において、前記筐体の背面側から前記記録再生装置を着脱可能とする構成を備えたことを特徴とする記録再生装置を備えた電子機器を提供する。
【００１２】
さらに本発明は、上記の記録再生装置を備えた電子機器において、前記筐体の前記記録再生装置を着脱可能とする方向の筐体面に、前記記録再生装置の着脱する方向の外形寸法に応じた大きさの開口部を形成したことを特徴とする記録再生装置を備えた電子機器を提供する。
【００１３】
また本発明は、上記の記録再生装置を備えた電子機器において、前記開口部が筐体の底面側及び背面側に連続して形成されたことを特徴とする記録再生装置を備えた電子機器を提供し、さらに、前記開口部を塞ぐための大きさを有したカバー部材を備え、前記カバー部材には前記記録再生装置を取り付けて、前記記録再生装置を前記カバー部材と共に前記筐体から着脱自在に構成したことを特徴とする記録再生装置を備えた電子機器を提供し、さらに前記カバー部材が前記筐体の底面に形成された開口部を塞ぐための大きさを有したカバー部材、前記筐体の背面に形成された開口部を塞ぐための大きさを有したカバー部材、前記筐体の底面と背面に連続して形成された開口部を塞ぐための大きさを有したカバー部材のいずれか一つであることを特徴とする記録再生装置を備えた電子機器を提供する。
【００１４】
さらに前記筐体の底面と背面に連続して形成された開口部を塞ぐための大きさを有したカバー部材が一体で形成されていることを特徴とする記録再生装置を備えた電子機器を提供する。さらに上記の記録再生装置を備えた電子機器において、前記筐体の底面と背面に連続して形成された開口部を塞ぐための大きさを有したカバー部材が底面部分を塞ぐ部材と背面部分を塞ぐ部材とを別部材で形成されていることを特徴とする記録再生装置を備えた電子機器を提供する。
【００１５】
さらに本発明は、筐体内に記録再生装置と、前記記録再生装置を制御する制御基板とを備えた電子機器において、前記筐体の底面側或いは背面側から前記記録再生装置を着脱可能とし、前記開口部を覆う防音部材又はシールド部材を設けたことを特徴とする記録再生装置を備えた電子機器を提供する。
【００１６】
また本発明は、上記の記録再生装置を備えた電子機器において、電子機器の筐体内に前記電子機器を制御するメイン基板を配置し、前記メイン基板に設けた接続端子と前記記録再生装置又は前記記録再生装置を制御する制御基板に設けた接続端子とが筐体内において互いに近接するように配置したことを特徴とする記録再生装置を備えた電子機器を提供する。
【００１７】
さらに本発明は、上記の記録再生装置を備えた電子機器において、前記メイン基板に設けた接続端子と前記記録再生装置又は前記記録再生装置を制御する制御基板に設けた接続端子とを線材を介して連結したことを特徴とする記録再生装置を備えた電子機器を提供する。
【００１８】
さらに本発明は、上記の記録再生装置を備えた電子機器において、前記記録再生装置は予め装置内部に記録媒体を組み付けて構成するハードディスクドライブであることを特徴とする記録再生装置を備えた電子機器を提供する。
【発明の効果】
【００１９】
本発明により、電子機器の底面側及び／又は背面側よりハードディスクドライブの着脱を容易に行うことが可能となる。ハードディスクユニットを電子機器の底面側及び／又は背面側から着脱可能な構造にすることで、機器の外観部材となる天板やフロントパネル、或いは機器の内部に取り付けるシールド部材や防音部材等を一定の作業手順に従って順次分解する作業が不要となるので、ハードディスクドライブの故障や交換時の着脱作業をきわめて容易に行うことが出来る。又、電子機器の内部に配置する基板に設けた接続端子とハードディスクドライブ又はハードディスクドライブを制御する為の制御基板に設けた接続端子とを互いに近接するようにハードディスクユニットを電子機器の内部に取り付けることで、互いの接続端子を繋ぐケーブルが電子機器の内部で煩雑になることなく、ハードディスクユニットの着脱作業をよりスムーズに行うことが出来る。さらに、互いの接続端子を繋ぐケーブルの長さを最小限に抑えることができる為、配線部材のコストダウンも可能となる。加えて、ユニット化したハードディスクドライブを機器の底面側及び／又は背面側より着脱可能な構造とすることで、ハードディスクドライブの周囲を覆うシールド部材や防音部材をハードディスクドライブの取り外しを考慮せずに配置することが可能となる為、ハードディスクドライブに対する不要輻射及び防音対策を確実に行うことができる。
【００２０】
又、本発明による電子機器の組み立て工程において、ハードディスクユニットと筐体の底面側及び／又は背面側に取り付けるカバー部材とを除く部品を予め組み付け、終盤の工程で底面側及び／又は背面側に取り付けるカバー部材を取り付けたハードディスクユニットを筐体の底面側及び／又は背面側から取り付ける作業工程とすることが出来る。すなわち、振動や衝撃に対して弱いハードディスクユニットを終盤の工程で組み付けることが可能となる為、組み立て作業工程中のハードディスクドライブの破損による不良率を減少させることが出来る。又、ハードディスクドライブを終盤に取り付ける工程とすることで、序盤の組み立て作業を行う作業者が振動や衝撃に対して過敏になることがなくなる為、全体的な組み立て作業速度の向上が実現する。さらに、電子機器の外観を構成する筐体の背面側よりハードディスクユニットを組み付ける構造とすることで、ハードディスクユニット以外の部材を予め組み付けて構成した電子機器の通常使用状態における姿勢でハードディスクユニットを容易に組み付けることが可能となることから、作業者がハードディスクユニットを組み付ける際に電子機器の向きを変更する等の余分な作業を行うことなく容易に組み立てを行うことが出来る。
【００２１】
又、本発明により、ハードディスクドライブの交換を電子機器の底面側及び／又は背面側から行う構造とすることで、通常使用状態においてユーザーが目視する電子機器の前面側からはハードディスクユニットの取り付け箇所が見えないことから、機器外観の意匠性を損なうことがない。さらに、小さな子供が誤って開口するようなことや、その開口部から水や埃などの異物が電子機器内部に侵入するといった不測の事態についても防止することが出来る。
【発明を実施するための最良の形態】
【００２２】
以下、本発明を実施するための最良の形態として、本発明の実施例について図１乃至図１９を参照して説明する。図１は本発明の実施例としてハードディスクドライブを内蔵した据え置き型の電子機器における天面側斜視図を示しており、符号１は電子機器の天板を示し、又、符号２は電子機器の操作部を備えたフロントパネルを示している。ここで、電子機器の操作面側を前面側とし、前面側と対向する側を背面側とする。又、電子機器を通常使用する設置状態において電子機器の天面側を上面側とし、上面側と対向する側を底面側として、以下に本発明の実施例について詳述する。尚、本実施例においてはハードディスクドライブを内蔵した据え置き型の電子機器を例にして説明するが、本発明はその発明の趣旨に反さない範囲で、実施例において説明した以外の構成のものに対しても容易に適用可能である。
【実施例１】
【００２３】
図２乃至図１１により、本発明の実施例1について説明する。図２は電子機器を底面側から視た状態の斜視図を示しており、前記電子機器の底面を形成するシャーシ４の底面側には後述する開口部７が形成され、前記開口部７をカバー部材(以下、このカバー部材を底板と称す)３が塞いでいる。図３は前記電子機器における主要構成部品の分解斜視図を示しており、天板１とフロントパネル２とシャーシ４とを組み合わせることで前記電子機器の筐体を構成している。シャーシ４の底面側には前述の開口部７が形成されており、前記開口部７は、後述するハードディスクユニット８を筐体内から着脱可能とする寸法に形成してある。又、シャーシ４の底面側に形成した前記開口部７の上面側には、後述するハードディスクユニット８の周囲を取り囲むように一体に形成されたシールド部材６及び／又は防音部材が取り付けられる。
【００２４】
図４はハードディスクユニット８の組み付け前の状態を示す分解斜視図である。ハードディスクドライブ１０の両側部には一対の支持部材９を取り付け、前記支持部材９にはハードディスクドライブ１０を制御する為の制御基板１１を取り付けており、ハードディスクドライブ１０及び制御基板１１と支持部材９とを一体的にユニット化している。以下、このユニットをハードディスクユニット８と称して説明を続ける。
【００２５】
図５はハードディスクユニット８の底面側に底板３を取り付ける前の状態を示す斜視図であり、図６はハードディスクユニット８の底面側に前記底板３を取り付けた後の状態を示す斜視図である。又、図７乃至図９には前記底板３を取り付けたハードディスクユニット８の正面図、平面図、及び側面図をそれぞれ示している。尚、ハードディスクユニット８の底面側に前記底板３を取り付けるときにおいて、前記底板３とともにシールド効果及び／又は防音効果のある部材を一緒に取り付けるか、或いは前記底板３そのものをシールド効果及び／又は防音効果を有する部材により形成してハードディスクユニット８に取り付けてもよい。
【００２６】
図１０は前記ハードディスクユニット８を電子機器の内部に取り付けた状態を示す前記電子機器の側面断面図である。ここで、電子機器の内部に配置する前記電子機器を制御する為のメイン基板５に設けた接続端子１４と、ハードディスクユニット８の制御基板１１に設けた接続端子（図示せず）とを互いにケーブル１５により接続しており、前記ハードディスクユニット８は、電子機器内部のメイン基板５に設けた前記接続端子１４とハードディスクユニット８の制御基板１１に設けた前記接続端子（図示せず）とが互いに近接するように、前記電子機器の外部から前記ハードディスクユニット８を取り付けている。又、前記メイン基板５にハードディスクの制御も含めた場合には、ハードディスクドライブ１０に設けた接続端子（図示せず）と前記メイン基板５に設けた接続端子１４とが互いに近接するように配置し、前記ハードディスクドライブ１０に設けた前記接続端子（図示せず）と前記メイン基板５に設けた前記接続端子１４とをケーブル１５により接続する。尚、本実施例においては、電子機器内部のメイン基板５に設けた接続端子１４と、ハードディスクドライブ１０側の接続端子（図示せず）とをケーブル１５により接続した場合を説明したが、これに限定することなく、例えば対向する二つの接続端子を直接接続する手段を用いてもよい。図１１は前記ハードディスクユニット８を電子機器から取り外した状態を示す前記電子機器の側面断面図である。
【００２７】
次に、本実施例における電子機器の内部構造について説明する。図３に示すように、シールド部材６はシャーシ４に形成した開口部７の上面側を覆うように取り付けられ、筐体内に前記シールド部材６の内側空間と前記シールド部材６の外側空間とを形成し、前記シールド部材６の内側空間をハードディスクユニット８の収納空間としている。尚、シャーシ４の底面側に形成された開口部７は、ハードディスクユニット８が筐体内から着脱可能な寸法で形成してある。又、前記シールド部材６の外側空間は、ハードディスクユニット８を除く前記電子機器の構成部品を配設する為の空間としており、メイン基板５もその１つである。
【００２８】
一方、図５乃至図９に示すように、前記ハードディスクユニット８の底面側には底板３を組み付け、電子機器の底面側より前記底板３を含むハードディスクユニット８をシャーシ４の開口部７より前記電子機器の内側空間へと組み付けることにより、前記底板３が前記電子機器のシャーシ４に形成した開口部７を塞ぐ蓋体として機能する。尚、底板３をシャーシ４の底面側に組み付けるときの固定手段については特に限定せず、螺子による締結や爪部を有するフックによる係合等、取り外し自在なさまざまな固定手段を用いることが出来る。
【００２９】
次に、ユーザーが電子機器の内部に組み付けたハードディスクドライブ１０を交換するときの具体的な手順について説明する。先ず、図１０に示すように、ハードディスクユニット８を機器内部に取り付けた状態のままで前記電子機器の上面側と底面側とを反転させ、図２に示すように前記電子機器の底面側が上面側となるように置く。さらに、底板３をシャーシ４に組み付けている螺子やフック等の固定手段を外して前記底板３と前記シャーシ４との組み付けを解除し、前記底板３を前記電子機器から取り外すことによって、図１１に示すように前記底板３とハードディスクユニット８とが一体の状態で開口部７から電子機器の筐体外部へと取り外すことが出来る。電子機器の筐体から取り外したハードディスクユニット８から螺子等の締結具を外して新しいハードディスクドライブ１０と交換する。尚、交換した新しいハードディスクドライブ１０を電子機器に装着する場合には、上記の手順を逆に辿ることで容易に装着することが出来る。又、ハードディスクユニット８からハードディスクドライブ１０を取り外すときには、前記ハードディスクドライブ１０と共に組み付けている支持部材９及び制御基板１１を全て外し、交換する新しいハードディスクドライブ１０に再度支持部材９及び制御基板１１を組み付けてもよいが、本実施例の場合は、ハードディスクドライブ１０と制御基板１１とを支持部材９に組み付けた構成としている為、ハードディスクドライブ１０と支持部材９とを締結している締結具を外して、ハードディスクユニット８からハードディスクドライブ１０のみを取り外して交換することも出来る。更に、ハードディスクユニット８に底板３を組み付けた状態からハードディスクドライブ１０のみを取り外して交換することも可能である。
【実施例２】
【００３０】
次に、本発明の実施例２について図１２乃至図１９を参照して説明する。尚、実施例１においては電子機器の底面側からハードディスクドライブ１０を備えたハードディスクユニット８を着脱可能とした構造について説明したが、本実施例においては電子機器の背面側からハードディスクドライブ１０を備えたハードディスクユニット８を着脱可能とした構造について説明する。
【００３１】
図１２は電子機器を背面側から視た状態の斜視図を示しており、前記電子機器の底面及び背面を形成するシャーシ４の背面側には後述する開口部７が形成されており、前記開口部７をカバー部材(以下、このカバー部材を背板と称す)１２が塞いでいる。図１３は前記電子機器における主要構成部品の分解斜視図を示しており、天板１とフロントパネル２とシャーシ４とを組み合わせることで前記電子機器の筐体を構成している。シャーシ４の背面側には前述の開口部７が形成されており、さらに前記開口部７を介して電子機器の外部より挿入される後述のハードディスクユニット８を取り付け位置まで案内して保持するガイド部材１３が切り起こしによりシャーシ４と一体に形成されている。前記開口部７は、後述するハードディスクユニット８を筐体内から着脱可能とする寸法に形成してあり、又、シャーシ４の背面側に形成した前記開口部７の前面側には、後述するハードディスクユニット８の周囲を取り囲むように一体に形成されたシールド部材６及び／又は防音部材が取り付けられる。
【００３２】
図１４はハードディスクユニット８の組み付け前の状態を示す分解斜視図である。ハードディスクドライブ１０の両側部には一対の支持部材９を取り付け、前記支持部材９にはハードディスクドライブ１０を制御する為の制御基板１１を取り付けており、ハードディスクドライブ１０及び制御基板１１と支持部材９とを一体的にユニット化している。以下、このユニットをハードディスクユニット８と称して説明を続ける。
【００３３】
図１５はハードディスクユニット８の背面側に背板１２を取り付ける前の状態を示す斜視図であり、図１６はハードディスクユニット８の背面側に前記背板１２を取り付けた後の状態を示す斜視図である。尚、ハードディスクユニット８の背面側に前記背板１２を取り付けるときにおいて、前記背板１２とともにシールド効果及び／又は防音効果のある部材を一緒に取り付けるか、或いは前記背板１２そのものをシールド効果及び／又は防音効果を有する部材により形成してハードディスクユニット８に取り付けてもよい。図１７はシャーシ４にハードディスクユニット８を取り付けた状態を示す斜視図である。
【００３４】
図１８は前記ハードディスクユニット８を電子機器の内部に取り付けた状態を示す前記電子機器の側面断面図である。ここで、電子機器の内部に配置する前記電子機器を制御する為のメイン基板５に設けた接続端子１４と、ハードディスクユニット８の制御基板１１に設けた接続端子（図示せず）とを互いにケーブル１５により接続しており、前記ハードディスクユニット８は、電子機器内部のメイン基板５に設けた前記接続端子１４とハードディスクユニット８の制御基板１１に設けた前記接続端子（図示せず）とが互いに近接するように、前記電子機器の外部から前記ハードディスクユニット８を取り付けている。又、前記メイン基板５にハードディスクの制御も含めた場合には、ハードディスクドライブ１０に設けた接続端子（図示せず）と前記メイン基板５に設けた接続端子１４とが互いに近接するように配置し、前記ハードディスクドライブ１０に設けた前記接続端子（図示せず）と前記メイン基板５に設けた前記接続端子１４とをケーブル１５により接続する。尚、本実施例においては、電子機器内部のメイン基板５に設けた接続端子１４と、ハードディスクドライブ１０側の接続端子（図示せず）とをケーブル１５により接続した場合を説明したが、これに限定することなく、例えば対向する二つの接続端子を直接接続する手段を用いてもよい。図１９は前記ハードディスクユニット８を電子機器から取り外した状態を示す前記電子機器の側面断面図である。
【００３５】
次に、本実施例における電子機器の内部構造について説明する。図１３に示すように、シールド部材６はシャーシ４に形成した開口部７の前面側を覆うように取り付けられ、筐体内に前記シールド部材６の内側空間と前記シールド部材６の外側空間とを形成し、前記シールド部材６の内側空間をハードディスクユニット８の収納空間としている。尚、シャーシ４の背面側に形成された開口部７は、ハードディスクユニット８が筐体内から着脱可能な寸法で形成してある。又、前記シールド部材６の外側空間は、ハードディスクユニット８を除く前記電子機器の構成部品を配設する為の空間としており、メイン基板５もその１つである。
【００３６】
一方、図１５乃至図１６に示すように、前記ハードディスクユニット８の背面側には背板１２を組み付け、電子機器の背面側より前記背板１２を含むハードディスクユニット８をシャーシ４の開口部７より前記電子機器の内側空間へと組み付けることにより、前記背板１２が前記電子機器のシャーシ４に形成した開口部７を塞ぐ蓋体として機能する。尚、背板１２をシャーシ４の背面側に組み付けるときの固定手段については特に限定せず、螺子による締結や爪部を有するフックによる係合等、取り外し自在なさまざまな固定手段を用いることが出来る。
【００３７】
次に、ユーザーが電子機器の内部に組み付けたハードディスクドライブ１０を交換するときの具体的な手順について説明する。先ず、図１８に示すように、ハードディスクユニット８を機器内部に取り付けた状態にある前記電子機器の背面側において、背板１２をシャーシ４に組み付けている螺子やフック等の固定手段を外して前記背板１２と前記シャーシ４との組み付けを解除し、前記背板１２を電子機器から取り外すことによって、図１９に示すように前記背板１２とハードディスクユニット８とが一体の状態で開口部７から電子機器の筐体外部へと取り外すことが出来る。このとき、電子機器の背面側より取り付けているハードディスクユニット８を取り外す作業となる為、実施例１のように電子機器の上面側と底面側とを反転させ、前記電子機器の底面側が上面側となるように置く作業は必要なく、電子機器を通常使用する状態に設置したままで前記ハードディスクユニット８を電子機器の筐体外部へと取り外すことが出来る。電子機器の筐体から取り外したハードディスクユニット８から螺子等の締結具を外して新しいハードディスクドライブ１０と交換する。尚、交換した新しいハードディスクドライブ１０を電子機器に装着する場合には、上記の手順を逆に辿ることで容易に装着することが出来る。又、ハードディスクユニット８からハードディスクドライブ１０を取り外すときには、前記ハードディスクドライブ１０と共に組み付けている支持部材９及び制御基板１１を全て外し、交換する新しいハードディスクドライブ１０に再度支持部材９及び制御基板１１を組み付けてもよいが、本実施例の場合は、ハードディスクドライブ１０と制御基板１１とを支持部材９に組み付けた構成としている為、ハードディスクドライブ１０と支持部材９とを締結している締結具を外して、ハードディスクユニット８からハードディスクドライブ１０のみを取り外して交換することも出来る。更に、ハードディスクユニット８に背板１２を組み付けた状態からハードディスクドライブ１０のみを取り外して交換することも可能である。
【００３８】
以上に説明したとおり、本発明における記録再生装置を備えた電子機器によれば、記録再生装置の一種であるハードディスクドライブ１０を電子機器に着脱する際の着脱動作が従来技術と比較してきわめて容易となるばかりか、電子機器の筐体内において、ハードディスクユニット８を格納する為のシールド部材６及び／又は防音部材の内側空間と、ハードディスクユニット８を除く前記電子機器の構成部品を配設する為のシールド部材６及び／又は防音部材の外側空間とを隔絶して設けた構造としている為、ハードディスクドライブ１０の駆動時に発生する騒音の遮断についても従来技術に比して格段の効果を挙げることができる。
【００３９】
又、本発明によれば、シールド部材６及び／又は防音部材をハードディスクユニット８の周囲を覆うように一体に形成し、電子機器の製造段階で前記シールド部材６及び／又は防音部材を予め機器の内部に取り付けておくことが可能となるので、ハードディスクドライブ１０の着脱を想定したシールド部材６及び／又は防音部材の形状或いは工程を一切考慮することなしに、小さな内部スペースにハードディスクドライブ１０を含むハードディスクユニット８を確実に覆うことが可能な密閉度の高い空間を提供することが出来る。
【００４０】
更に、本実施例において、実施例１では電子機器のシャーシ４に形成した底面側の開口部７からハードディスクドライブ１０を含むハードディスクユニット８を着脱可能とする構造について説明し、実施例２では電子機器のシャーシ４に形成した背面側の開口部７からハードディスクドライブ１０を含むハードディスクユニット８を着脱可能とする構造について説明したが、本発明はこれらの実施例に限定するものではなく、本発明の要旨の範囲内で種々の変形実施が可能であり、例えば、電子機器の底面及び背面を担うシャーシ４の底面側と背面側とが直交する角部において二つの面にかかる連続した開口部７を形成し、シャーシの底面側に設けた開口部７を塞ぐための底板３と、シャーシの背面側に設けた開口部７を塞ぐための背板１２とを一体に形成したカバー部材をハードディスクユニット８に取り付ける構造としてもよい。
【００４１】
尚、本発明の実施例を説明する為の記録再生装置としてハードディスクドライブ１０を例に挙げたが、本発明における記録再生装置はこれに限定するものではなく、ディスク状の記憶媒体に記録/再生を行うディスク記録再生装置や、カード状の記憶媒体に記録/再生を行う装置等の着脱構造としても容易に適応可能である。
【００４２】
又、本発明の電子機器においては、単数の記録再生装置を備えた電子機器のみならず、複数の記録再生装置を備えた電子複合機器にも適応可能であることを付言しておく。
【図面の簡単な説明】
【００４３】
【図１】本発明の実施例を説明する電子機器の天面側斜視図
【図２】本発明の実施例１を説明する電子機器の底面側斜視図
【図３】本発明の実施例１を説明する電子機器の分解斜視図
【図４】本発明の実施例１を説明するハードディスクユニットの分解斜視図
【図５】本発明の実施例１を説明するハードディスクユニットの下部に底板を取り付ける前の状態を示す斜視図
【図６】本発明の実施例１を説明するハードディスクユニットの下部に底板を取り付けた後の状態を示す斜視図
【図７】本発明の実施例１を説明する底板を含むハードディスクユニットの正面図
【図８】本発明の実施例１を説明する底板を含むハードディスクユニットの平面図
【図９】本発明の実施例１を説明する底板を含むハードディスクユニットの側面図
【図１０】本発明の実施例１を説明するハードディスクユニットの取り付け状態を示す電子機器の側面断面図
【図１１】本発明の実施例１を説明するハードディスクユニットの取り外し状態を示す電子機器の側面断面図
【図１２】本発明の実施例２を説明する電子機器の背面側斜視図
【図１３】本発明の実施例２を説明する電子機器の分解斜視図
【図１４】本発明の実施例２を説明するハードディスクユニットの分解斜視図
【図１５】本発明の実施例２を説明するハードディスクユニットの後方部に背板を取り付ける前の状態を示す斜視図
【図１６】本発明の実施例２を説明するハードディスクユニットの後方部に背板を取り付けた後の状態を示す斜視図
【図１７】本発明の実施例２を説明するシャーシ上にハードディスクユニットを取り付けた状態を示す斜視図
【図１８】本発明の実施例２を説明するハードディスクユニットの取り付け状態を示す電子機器の側面断面図
【図１９】本発明の実施例２を説明するハードディスクユニットの取り外し状態を示す電子機器の側面断面図
【符号の説明】
【００４４】
１  天板
２  フロントパネル
３  底板
４  シャーシ
５  メイン基板
６  シールド部材
７  開口部
８  ハードディスクユニット
９  支持部材
１０  ハードディスクドライブ
１１  制御基板
１２  背板
１３  ガイド部材
【図１】
2006185571.tif 000003
【図２】
2006185571.tif 000004
【図３】
2006185571.tif 000005
【図４】
2006185571.tif 000006
【図５】
2006185571.tif 000007
【図６】
2006185571.tif 000008
【図７】
2006185571.tif 000009
【図８】
2006185571.tif 000010
【図９】
2006185571.tif 000011
【図１０】
2006185571.tif 000012
【図１１】
2006185571.tif 000013
【図１２】
2006185571.tif 000014
【図１３】
2006185571.tif 000015
【図１４】
2006185571.tif 000016
【図１５】
2006185571.tif 000017
【図１６】
2006185571.tif 000018
【図１７】
2006185571.tif 000019
【図１８】
2006185571.tif 000020
【図１９】
2006185571.tif 000021